(57)【要約】【課題】満充電または完全放電を行っていなくとも、充放電回数を算出することを目的とする。【解決手段】電池制御装置１は、電池４の電圧を計測する電圧計測手段６と、電池４の電流を計測する電流計測手段７と、電池４の電圧および電池４の電流に基づいて電池４の開放電圧を算出し、電池４の残量が電池４の全容量に対する割合を表した値である電池残量比率と開放電圧との関係を示す関係情報と算出した開放電圧とを用いて電池４の電池残量比率を算出する電源制御手段８と、を備え、電源制御手段８は、充電開始時の電池４の電池残量比率から充電終了時の電池残量比率を減算して電池４の充電量比率を算出し、充電量比率に補正係数を乗算した値を電池４の充放電回数として算出し、充放電回数を算出する毎に該充放電回数を積算する。【選択図】図１
2008128738.tif 000002
【特許請求の範囲】
【請求項１】
電池の電圧を計測する電圧計測手段と、
前記電池の電流を計測する電流計測手段と、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、
前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
電池制御装置。
【請求項２】
電池の電圧を計測する電圧計測ステップと、
前記電池の電流を計測する電流計測ステップと、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御ステップと、を備え、
前記電源制御ステップは、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
電池制御方法。
【請求項３】
電池の電圧を計測する電圧計測手段と、
前記電池の電流を計測する電流計測手段と、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、
前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
電池パック。
【請求項４】
電池から供給される電力によって負荷を駆動する電子機器であって、
前記電池の電圧を計測する電圧計測手段と、
前記電池の電流を計測する電流計測手段と、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、
前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
電子機器。
【請求項５】
前記電源制御手段は、放電開始時の前記電池の電池残量比率から放電終了時の電池残量比率を減算して前記電池の充電量比率を算出し、該充電量比率に補正係数を乗算した値を前記電池の充放電回数として算出し、該充放電回数を算出する毎に該充放電回数を積算する、
請求項４に記載の電子機器。
【請求項６】
前記電源制御手段は、前記充放電回数が所定値を超える場合には該所定値を前記充放電回数として算出し、前記充放電回数が所定値を超えない場合には前記充電量比率に補正係数を乗算した値を前記充放電回数として算出する
請求項４または５に記載の電子機器。
【請求項７】
前記補正係数は、電池の劣化により減少する電池の放電容量に基づいて算出された値である請求項４から６のいずれか１項に記載の電子機器。
【請求項８】
前記電池は記録手段を備え、
前記電源制御手段は、積算した前記充放電回数を前記記録手段に記録する請求項４から７のいずれか１項に記載の電子機器。
【請求項９】
電池の電圧を計測する電圧計測手段と、
前記電池の電流を計測する電流計測手段と、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備える電池制御装置の電池制御プログラムであって、
充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算するステップを電池制御装置に実行させる電池制御プログラム。
【請求項１０】
電池の電圧を計測する電圧計測手段と、前記電池の電流を計測する電流計測手段とを備え、前記電池の充放電回数を管理する電池制御装置の制御回路において、
前記計測された電池の電圧および前記計測された電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段を備え、
前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
制御回路。
【発明の詳細な説明】
【技術分野】
【０００１】
本発明は、電池制御装置、電池制御方法、電池パック、電子機器、電池制御プログラムおよび制御回路に関する。
【背景技術】
【０００２】
二次電池は、充放電を繰り返す事により、放電できる電池容量（放電容量）が徐々に減少する。最近のリチウムイオン電池は、３００〜５００回の充放電を繰り返す事により約６０％まで放電容量が減少する。そのため、充放電回数が、電池劣化状態を示す一つの指標となる。しかし、パーソナルコンピュータやＰＤＡなどの情報機器ではデータ消失を避けるため、電池を最後まで放電せずに充電するのが一般的である。その結果、充放電回数の数え方によっては実際とズレが生じる。電流を積算し、一定量以上放電したら一回と数え、積算充電電流量が規定値に達したら一回と数える手法がある。また、充電開始時の電圧と充電終了時の電圧から充放電回数に換算する方法がある。さらに、放電容量を積算して充放電回数に換算する方法がある。
【特許文献１】特開平６−６８９１２号公報
【特許文献２】特開平１１−２３３１５２号公報
【特許文献３】特開平１１−２３３１５３号公報
【特許文献４】特開平１１−２３３１６１号公報
【特許文献５】特開２０００−１９５５６４号公報
【特許文献６】特開２０００−２６０４８６号公報
【特許文献７】特開２００５−４９２１６号公報
【発明の開示】
【発明が解決しようとする課題】
【０００３】
充電開始時の電圧と充電終了時の電圧から充放電回数に換算する方法は、充電時の電池電圧に対して、放電レートといった放電条件を加味していない。また、放電条件によって放電容量は異なり、充放電回数も異なる。放電容量を積算して充放電回数に換算する方法は、積算された値を充放電回数に換算するために、満充電容量を知る必要があるが、満充電容量が一定のままでは、劣化して容量が減った電池で正しく換算することができない。
【０００４】
本発明は、満充電または完全放電を行っていなくとも、充放電回数を算出することを目的とする。また、本発明は、電池の劣化に対応する補正係数により換算した充放電回数を算出することを目的とする。
【課題を解決するための手段】
【０００５】
本発明は、上記課題を解決するために、以下の手段を採用した。すなわち、本発明の電池制御装置は、電池の電圧を計測する電圧計測手段と、前記電池の電流を計測する電流計測手段と、前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する。
【０００６】
本発明の電池制御装置によれば、充電開始時の電池の電池残量比率から充電終了時の電
池残量比率を減算して電池の充電量比率を算出し、電池の充放電回数を算出する。その結果、本発明の電池制御装置によれば、充電開始時の電池が完全放電となっていなくとも、電池の充放電回数を算出することが可能となる。また、本発明の電池制御装置によれば、充電終了時の電池が満充電となっていなくとも、電池の充放電回数を算出することが可能となる。
【０００７】
本発明の電池制御方法は、電池の電圧を計測する電圧計測ステップと、前記電池の電流を計測する電流計測ステップと、前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御ステップと、を備え、前記電源制御ステップは、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する。
【０００８】
本発明の電池制御方法によれば、充電開始時の電池の電池残量比率から充電終了時の電池残量比率を減算して電池の充電量比率を算出し、電池の充放電回数を算出する。その結果、本発明の電池制御方法によれば、充電開始時の電池が完全放電となっていなくとも、電池の充放電回数を算出することが可能となる。また、本発明の電池制御方法によれば、充電終了時の電池が満充電となっていなくとも、電池の充放電回数を算出することが可能となる。
【０００９】
本発明の電池パックは、電池の電圧を計測する電圧計測手段と、前記電池の電流を計測する電流計測手段と、前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する。
【００１０】
本発明の電池パックによれば、充電開始時の電池の電池残量比率から充電終了時の電池残量比率を減算して電池の充電量比率を算出し、電池の充放電回数を算出する。その結果、本発明の電池パックによれば、充電開始時の電池が完全放電となっていなくとも、電池の充放電回数を算出することが可能となる。また、本発明の電池パックによれば、充電終了時の電池が満充電となっていなくとも、電池の充放電回数を算出することが可能となる。
【００１１】
本発明の電子機器は、電池から供給される電力によって負荷を駆動する電子機器であって、前記電池の電圧を計測する電圧計測手段と、前記電池の電流を計測する電流計測手段と、前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する。
【００１２】
本発明の電子機器によれば、充電開始時の電池の電池残量比率から充電終了時の電池残量比率を減算して電池の充電量比率を算出し、電池の充放電回数を算出する。その結果、
本発明の電子機器によれば、充電開始時の電池が完全放電となっていなくとも、電池の充放電回数を算出することが可能となる。また、本発明の電子機器によれば、充電終了時の電池が満充電となっていなくとも、電池の充放電回数を算出することが可能となる。
【００１３】
本発明の電子機器によれば、前記電源制御手段は、放電開始時の前記電池の電池残量比率から放電終了時の電池残量比率を減算して前記電池の充電量比率を算出し、該充電量比率に補正係数を乗算した値を前記電池の充放電回数として算出し、該充放電回数を算出する毎に該充放電回数を積算する。
【００１４】
本発明の電子機器によれば、放電開始時の前記電池の電池残量比率から放電終了時の電池残量比率を減算して前記電池の充電量比率を算出し、電池の充放電回数を算出する。その結果、本発明の電子機器によれば、放電開始時の電池が満充電となっていなくとも、電池の充放電回数を算出することが可能となる。また、本発明の電子機器によれば、放電終了時の電池が完全放電となっていなくとも、電池の充放電回数を算出することが可能となる。
【００１５】
本発明の電子機器によれば、前記電源制御手段は、前記充放電回数が所定値を超える場合には該所定値を前記充放電回数として算出し、前記充放電回数が所定値を超えない場合には前記充電量比率に補正係数を乗算した値を前記充放電回数として算出する。本発明の電子機器によれば、所定値を超えない充放電回数を算出することが可能となる。
【００１６】
また、本発明の電子機器によれば、前記補正係数は、電池の劣化により減少する電池の放電容量に基づいて算出された値である。本発明の電子機器によれば、電池の劣化を考慮した電池の充放電回数を算出することが可能となる。
【００１７】
また、本発明の電子機器によれば、前記電池は記録手段を備え、前記電源制御手段は、積算した前記充放電回数を前記記録手段に記録する。本発明の電子機器によれば、積算した電池の充放電回数を電池が備える記録手段に記録することが可能となる。
【００１８】
また、本発明の電池制御プログラムは、電池の電圧を計測する電圧計測手段と、前記電池の電流を計測する電流計測手段と、前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備える電池制御装置の電池制御プログラムであって、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算するステップを電池制御装置に実行させる。
【００１９】
本発明の電池制御プログラムによれば、充電開始時の電池の電池残量比率から充電終了時の電池残量比率を減算して電池の充電量比率を算出し、電池の充放電回数を算出する。その結果、本発明の電池制御プログラムによれば、充電開始時の電池が完全放電となっていなくとも、電池の充放電回数を算出することが可能となる。また、本発明の電池制御プログラムによれば、充電終了時の電池が満充電となっていなくとも、電池の充放電回数を算出することが可能となる。
【００２０】
また、本発明の制御回路は、電池の電圧を計測する電圧計測手段と、前記電池の電流を計測する電流計測手段とを備え、前記電池の充放電回数を管理する電池制御装置の制御回路であって、前記計測された電池の電圧および前記計測された電池の電流に基づいて前記電池の開放電圧を算出し、前記電池の残量が前記電池の全容量に対する割合を表した値で
ある電池残量比率と前記開放電圧との関係を示す関係情報と前記算出した開放電圧とを用いて前記電池の電池残量比率を算出する電源制御手段を備え、前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する。
【００２１】
本発明の制御回路によれば、充電開始時の電池の電池残量比率から充電終了時の電池残量比率を減算して電池の充電量比率を算出し、電池の充放電回数を算出する。その結果、本発明の制御回路によれば、充電開始時の電池が完全放電となっていなくとも、電池の充放電回数を算出することが可能となる。また、本発明の制御回路によれば、充電終了時の電池が満充電となっていなくとも、電池の充放電回数を算出することが可能となる。
【００２２】
また、本発明は、コンピュータその他の装置、機械等が上記いずれかの処理を実行する方法であってもよい。また、本発明は、コンピュータその他の装置、機械等に、以上のいずれかの機能を実現させるプログラムであってもよい。また、本発明は、そのようなプログラムをコンピュータ等が読み取り可能な記録媒体に記録したものでもよい。
【発明の効果】
【００２３】
本発明によれば、満充電または完全放電を行っていなくとも、充放電回数を算出することができる。また、本発明によれば、電池の劣化に対応する補正係数により換算した充放電回数を算出することができる。
【発明を実施するための最良の形態】
【００２４】
以下、本発明の実施形態を例示的に説明する。以下の実施形態の構成は例示であり、本発明は実施形態の構成には限定されない。
＜第１実施形態＞
＜構成＞
図１は、第１実施形態に係る電池制御装置１を搭載したノートパソコン２（本発明でいう、「電子機器」に相当。）の構成図を示している。ノートパソコン２内には、ＣＰＵ（中央演算処理装置）やハードディスク等の装置類（以下、単に「負荷３」と称する。）が内蔵されている。負荷３は、ノートパソコン２に接続されている電池４やＡＣアダプター５から供給される電力によって動作する。なお、負荷３に供給される電力は、電池制御装置１を介して電池４やＡＣアダプター５から給電される。また、ＡＣアダプター５の出力電圧は、電池４の出力電圧よりも高いことを前提としている。なお、電池４はノートパソコン２から取り外しができるものであってもよい。
【００２５】
本実施形態においては、電池４以外の電源としてＡＣアダプター５を採用しているが、本発明はこれに限られない。すなわち、電池４からの電力の供給が無い状態であっても、電池制御装置１が動作可能であればよい。従って、ＡＣアダプター５に代わって第二の電池を用いてもよいし、第二の電池以外の電源で電池制御装置１が動作するようにしてもよい。
【００２６】
電池制御装置１は、ＡＣアダプター５と負荷３を繋ぐ電路を開閉するスイッチ１１、電池４の電圧を計測する電圧測定回路６（本発明でいう、「電圧計測手段」に相当。）と、電池の電流を計測する電流測定回路７（本発明でいう、「電流計測手段」に相当。）と、スイッチ１１へ制御信号を出力し、電圧測定回路６と電流測定回路７とからの計測信号を入力する電源制御マイコン８（本発明でいう、「電源制御手段」や「制御回路」に相当。）と、電池４への逆電流を阻止するためのダイオード９と、ＡＣアダプター５への逆電流を阻止するためのダイオード１０と、ＡＣアダプター５と電池４を繋ぐ電路を開閉するスイッチ１２と、を有している。なお、電池制御装置１は、電池４の内部に設けられたメモ
リー１４と電気的に接続されていてもよい。
【００２７】
スイッチ１１は、電源制御マイコン８からの指令を受けて開閉動作する。スイッチ１１を開くと、電池４から負荷３へ電力が供給される。一方、スイッチ１１を閉じると、ＡＣアダプター５の出力電圧は電池４の出力電圧よりも高いため、電池４から負荷３への電力の供給は止まり、ＡＣアダプター５から負荷３への電力の供給が開始される。すなわち、スイッチ１１を開閉することにより、電池４から負荷３への電力の供給が制御される。なお、スイッチ１１には、電路を物理的に開閉する電磁接触器等の開閉手段の他、半導体スイッチ等を用いてもよい。
【００２８】
このように、ダイオード９とダイオード１０とスイッチ１１とからなる回路で電源の切り替え回路を構成することにより、負荷３を瞬時電圧低下させることなく電源を切り替えることが可能となる。また、電池４の内部インピーダンスや容量等を計測する際、ＡＣアダプター５を取り外す必要が無くなる。なお、スイッチ１１は、電池４から負荷３への電路の途中に設けてもよい。
【００２９】
スイッチ１２は、電源制御マイコン８からの指令を受けて開閉動作する。スイッチ１２を閉じると、ＡＣアダプター５から電池４へ電力が供給され、電池４は充電される。一方、スイッチ１２を開くと、ＡＣアダプター５から電池４への電力の供給は止まる。すなわち、スイッチ１２を開閉することにより、ＡＣアダプター５から電池４への電力の供給が制御される。
【００３０】
電圧測定回路６は、電池４の正極と負極との間の電位差を計測し、電池４の出力電圧に関する信号を電源制御マイコン８に伝送する。また、電圧測定回路６は、電池４の正極と負極との間の電位差を計測し、電池４への入力電圧に関する信号を電源制御マイコン８に伝送する。なお、電圧測定回路６は、スイッチ１１の開閉状態に関わらず、電池４の出力電圧を常に計測して電源制御マイコン８に伝送することが可能である。さらに、電圧測定回路６は、スイッチ１２の開閉状態に関わらず、電池４への入力電圧を常に計測して電源制御マイコン８に伝送することが可能である。
【００３１】
電流測定回路７は、電池４の出力電流を計測し、電池４の出力電流に関する信号を電源制御マイコン８に伝送する。電池４の出力電流の計測は、電池４と負荷３との間に設けられた抵抗１３における電圧降下量を計測し、電圧降下量と抵抗値とから電池４の出力電流を計測する。なお、スイッチ１１が開いており電池４から負荷３への電力の供給が停止している場合、電流測定回路７が計測する電池４の出力電流は、０（Ａ）となる。また、電流測定回路７は、電池４への入力電流を計測し、電池４の入力電流に関する信号を電源制御マイコン８に伝送する。電池４への入力電流の計測は、抵抗１３における電圧上昇量を計測し、電圧上昇量と抵抗値とから電池４への入力電流を計測する。
【００３２】
電源制御マイコン８は、開閉装置６のスイッチ１１を開閉し、電池４から負荷３への電力の供給を制御する。また、電源制御マイコン８は、電圧測定回路６や電流測定回路７から伝送される信号に基づいて電池４の状態を測定する。さらに、電源制御マイコン８は、ＣＰＵ（Central Processing Unit）、ＲＯＭ（Read Only Memory）、ＲＡＭ（Random Access Memory）および入出力インターフェース等により構成されている。そして、ＲＯＭ
やＲＡＭに予め格納されているプログラムがＣＰＵによって実行されることにより、電池制御装置１の各動作が実現される。
【００３３】
次に、図２を参照して、本実施形態に係る電池制御装置１の動作について説明する。図２は、第１実施形態に係る電池制御装置１の制御フロー図である。図２は、電池４を充電する場合において、電源制御マイコン８が、電池４の充放電回数を算出する動作を説明し
ている。
【００３４】
まず、電源制御マイコン８は、ノートパソコン２とＡＣアダプター５とが電気的に接続されていることを、スイッチ１１を介して検出する。具体的には、すでにノートパソコン２にＡＣアダプター５が装着されている場合において、ノートパソコン２の電源スイッチが押下され、電池制御装置１が起動したとき、電源制御マイコン８は、ノートパソコン２とＡＣアダプター５とが電気的に接続されていることを検出する。また、すでにノートパソコン２の電源スイッチが入っている場合において、ノートパソコン２にＡＣアダプター５が装着されたとき、電源制御マイコン８は、ノートパソコン２とＡＣアダプター５とが電気的に接続されていることを検出する。電源制御マイコン８は、ノートパソコン２とＡＣアダプター５とが電気的に接続されていることを検出した場合、電池４の電池残量比率（％）を予測する（Ｓ２０１）。
【００３５】
電池４の電池残量比率（％）を予測する場合、電源制御マイコン８は、スイッチ１１を開いた状態にする指令をスイッチ１１に対して送る。すでにスイッチ１１が開いている場合は、電源制御マイコン８は、スイッチ１１を開いた状態にする指令をスイッチ１１に対して送らなくてもよい。スイッチ１１が開いている場合、負荷３への電力の供給元は、電池４となる。したがって、電池４は放電を行っていることになる。そこで、電源制御マイコン８は電池４の放電時の電池残量比率（％）を予測する。
【００３６】
ここで、電池４の電池残量比率（％）の予測について説明する。例えば、リチウムイオン電池は、電池残量比率（％）によって、電池電圧が変化する特性を持っている。そのため、電池４の開放電圧（ＯＶＣ）を測定することにより電池残量比率（％）を予測することができる。電池電圧の変化の仕方は直線的ではない。そのため、予め測定された電池電圧と電池残量比率（％）との関係をマップ化しておき、そのマップ（テーブル）を参照することにより、電池４の電池残量比率（％）の予測を行うことが可能である。
【００３７】
電池４の充放電が行われている間は、電池４の端子電圧（Ｖ）と電池４の開放電圧（ＯＶＣ）とは異なる値を示す。これは、電池４の内部インピーダンスおよび充放電電流によって、電池４の端子電圧（Ｖ）の電圧上昇または電圧降下が発生するからである。そのため、充放電時の電池４の開放電圧（ＯＶＣ）を求める必要がある。
充放電時の電池４の開放電圧（ＯＶＣ）は、電池４の端子電圧（Ｖ）と、電池４の充放電電流（Ｉ）、電池４の内部インピーダンス（Ｒｉ）により、以下の計算式（１）で求めることができる。
ＯＣＶ＝Ｖ＋（Ｉ×Ｒｉ）  ・・・（１）
上記計算式（１）では、電池４の放電時における充放電電流の符号を正の符号、電池４の充電時における充放電電流の符号を負の符号とする。
【００３８】
具体的には、電源制御マイコン８は、電圧測定回路６から電池４の端子電圧（Ｖ）に関する信号を取得する。また、電源制御マイコン８は、電流測定回路７から電池４の充放電電流（Ｉ）に関する信号を取得する。電池４の内部インピーダンス（Ｒｉ）は、予め測定された結果から算出された値を使用する。例えば、電源制御マイコン８に予め記録された電池４の内部インピーダンス（Ｒｉ）を使用してもよい。この場合、電池４の製造時等において、計測装置によって予め計測された電池４の内部インピーダンス（Ｒｉ）を、電源制御マイコン８に記録してもよい。また、電池４の製造後において計測装置によって予め計測された電池４の内部インピーダンス（Ｒｉ）を、電源制御マイコン８に記録してもよい。
【００３９】
また、電池４の内部インピーダンス（Ｒｉ）は、電池制御装置１による以下の動作によって、算出することができる。電池制御装置１による以下の動作は、電源制御マイコン８
による電池４の電池残量比率（％）を予測する動作の前に行われていることを前提とする。
【００４０】
電源制御マイコン８は、スイッチ１１を開き、負荷３への電力の供給元をＡＣアダプター５から電池４へ切り替える。負荷３への電力の供給元をＡＣアダプター５から電池４へ切り替えた時の時間を０分とする。このときの電池４の電圧と電流の変化を、図３、及び図４において示す。図３は、電池４の出力電圧の時間変化を示すグラフである。図３において示すように、電池４の出力電圧は、負荷３への給電の開始と同時に急速に低下し、時間が１０分程度経過したところで収束する。また、図４は、電池４の出力電流の時間変化を示すグラフである。図４において示すように、電池４の出力電流は、負荷３への給電の開始と同時に急速に低下し、時間が１０（ｍｉｎ）程度経過したところで収束する。
【００４１】
電源制御マイコン８は、スイッチ１１が開かれ、負荷３への電力の供給元をＡＣアダプター５から電池４へ切り替えてから１０分経過後、電圧測定回路６から電池４の出力電圧（Ｖ１）に関する信号を取得し、電流測定回路７から電池４の出力電流（Ｉ１）に関する信号を取得する。
【００４２】
電源制御マイコン８は、スイッチ１１を閉じ、負荷３への電力の供給元を電池４からＡＣアダプター５へ切り替える。図３において示すように、電池４の出力電圧は、負荷３への給電の停止と同時に急速に上昇し、３０分経過後にはほぼ完全に収束している。また、図４において示すように、電池４の出力電流は、負荷３への給電の停止と同時に０（Ａ）となる。
【００４３】
次に、電源制御マイコン８は、スイッチ１１が閉じられ、負荷３への電力の供給元を電池４からＡＣアダプター５へ切り替えてから２０分経過後（すなわち、スイッチ１１が開かれ、負荷３への電力の供給元をＡＣアダプター５から電池４へ切り替えてから３０分経過後。）、電圧測定回路６から電池４の開放電圧である出力電圧（Ｖ２）に関する信号を取得する。
【００４４】
そして、電源制御マイコン８は、取得したＶ１、Ｉ１、及びＶ２から、電池４の内部インピーダンス（Ｒｉ）を算出する。電池４の内部インピーダンス（Ｒｉ）は、以下の計算式（２）によって求めることができる。
Ｒｉ＝（Ｖ２−Ｖ１）／Ｉ１  ・・・（２）
算出された電池４の内部インピーダンス（Ｒｉ）は、電源制御マイコン８の内部に記録される。このような電池４の内部インピーダンス（Ｒｉ）の算出、記録動作により、電源制御マイコン８は、電池４の内部インピーダンス（Ｒｉ）を使用することができる。
【００４５】
次に、電源制御マイコン８は、計算式（１）を使用して、電池４の端子電圧（Ｖ）と、電池４の充放電電流（Ｉ）と、電池４の内部インピーダンス（Ｒｉ）とから、充放電時の電池４の開放電圧（ＯＶＣ）を算出する。
【００４６】
電源制御マイコン８は、電池４のメモリー１４に記憶されたマップを取得し、算出した充放電時の電池４の開放電圧（ＯＶＣ）とマップとを照合することにより、電池４の電池残量比率（％）を算出する。
【００４７】
図５は、電池４の電池残量比率（％）と充放電時の電池４の開放電圧（ＯＶＣ）との関係を示すグラフ（本発明でいう、「関係情報」に相当。）である。この電池４の電池残量比率（％）と充放電時の電池４の開放電圧（ＯＶＣ）との関係は、電池４の製造時等において、計測装置によって予め計測されたデータに基づくものである。すなわち、このグラフは、電池４の充放電時の開放電圧（ＯＶＣ）を電池４が満充電の状態から放電末期の状
態になるまで段階的に計測していくことにより作成したものである。電池４のメモリー１４にこのようなグラフをマップとして予め記憶させておく。また、電源制御マイコン８が、このようなグラフをマップとして記憶するようにしてもよい。
【００４８】
次に、電源制御マイコン８は、算出した電池４の電池残量比率（％）を充電開始時電池残量比率（％）として、電源制御マイコン８の内部に保存する（Ｓ２０２）。
【００４９】
そして、電源制御マイコン８は、電池４の充電を開始する（Ｓ２０３）。具体的には、電源制御マイコン８は、スイッチ１１を閉じた状態にする指令をスイッチ１１に対して送る。さらに、電源制御マイコン８は、スイッチ１２を閉じた状態にする指令をスイッチ１２に対して送る。すでにスイッチ１２が閉じている場合は、スイッチ１２を閉じた状態にする指令をスイッチ１２に対して送らなくてもよい。スイッチ１１が閉じられた状態となり、かつ、スイッチ１２が閉じられた状態となる場合、ＡＣアダプター５と電池４とは、電気的に接続された状態となる。すなわち、ＡＣアダプター５の供給電力が電池４に供給され、電池４の充電が開始される。
【００５０】
電源制御マイコン８は、電池４の充電が終了したか否かを判定する（Ｓ２０４）。電池４が満充電となった場合、電源制御マイコン８は、電池４の充電が終了したと判定する。また、ノートパソコン２からＡＣアダプター５が取り外された場合、電源制御マイコン８は、電池４の充電が終了したと判定する。
【００５１】
電池４の充電が終了した場合（Ｓ２０４の処理で肯定の場合）、電源制御マイコン８は、電池４の電池残量比率（％）を予測する（Ｓ２０５）。Ｓ２０５における電池４の電池残量比率（％）の予測の処理は、Ｓ２０２における電池４の電池残量比率（％）の予測の処理と同様に行われる。すなわち、電源制御マイコン８は、電池４の充電終了時における電池４の電池残量比率（％）を算出する。
【００５２】
一方、電池４の充電が終了していない場合（Ｓ２０４の処理で否定の場合）、電源制御マイコン８は、電池４の充電が終了するまで、Ｓ２０４の処理を繰り返す。
【００５３】
電池４の充電終了時における電池４の電池残量比率（％）を算出した場合、電源制御マイコン８は、算出した電池４の電池残量比率（％）を充電終了時電池残量比率（％）として、電源制御マイコン８の内部に保存する（Ｓ２０６）。
【００５４】
次に、電源制御マイコン８は、電池４の充放電回数を算出する（Ｓ２０７）。電源制御マイコン８は、充電開始時電池残量比率（％）、充電終了時電池残量比率（％）、補正係数から、電池４の充放電回数を算出する。電池４の充放電回数は、以下の計算式（３）によって求めることができる。
電池４の充放電回数＝｛充電終了時電池残量比率（％）−充電開始時電池残量比率（％）｝／１００（％）×補正係数ｎ  ・・・（３）
上記補正係数ｎについて説明する。上記補正係数ｎは、予め実験を行うことにより算出することが可能である。具体的には、電池４の満充電状態から、電池４の電池残量比率（％）が５０％の状態になるまで電池４の放電を行う。その後、電池４が満充電状態となるまで、電池４の充電を行う。この電池４の放電および電池４の充電のサイクルを繰り返して、電池４の放電容量のデータを取得する。満充電状態から電池残量比率（％）が５０％の状態になるまでの電池４の放電と、電池残量比率（％）が５０％の状態から満充電状態になるまでの電池４の充電のサイクルを、本明細書では、充放電５０％サイクルという。補正係数ｎを算出する実験においては、充放電５０％サイクルを１回行った場合、充放電回数を０．５回とする。
【００５５】
また、電池４の満充電状態から、電池４の電池残量比率（％）が０％の状態になるまで電池４の放電を行う。その後、電池４が満充電状態となるまで、電池４の充電を行う。この電池４の放電および電池４の充電のサイクルを繰り返して、電池４の放電容量のデータを取得する。満充電状態から電池残量比率（％）が０％の状態になるまでの電池４の放電と、電池残量比率（％）が０％の状態から満充電状態になるまでの電池４の充電のサイクルを、本明細書では、充放電１００％サイクルという。補正係数ｎを算出する実験においては、充放電１００％サイクルを１回行った場合、充放電回数を１回とする。
【００５６】
電池４の充放電が繰り返されることにより、電池４は劣化し、充放電できる容量が減少する。電池４が満充電の状態から、電池残量比率（％）が０％の状態まで放電され、電池残量比率（％）が０％の状態から満充電の状態まで電池４の充電が行われた場合と、電池４が満充電の状態から、電池残量比率（％）が５０％の状態まで放電され、電池残量比率（％）が５０％の状態から満充電の状態まで電池４の充電が行われた場合と、では電池が劣化する割合が異なる（すなわち、電池４の充放電できる容量が異なる。）。そこで、電池４の劣化により減少した放電容量（または充電容量）に応じた補正係数を充放電回数に乗算して、電池４の劣化に対応した充放電回数を算出する必要がある。
【００５７】
充放電５０％サイクルを繰り返した場合の電池４の放電容量の減り方と、充放電１００％サイクルを繰り返した場合の電池４の放電容量の減り方とを比較する。
【００５８】
図６は、充放電５０％サイクルを繰り返した場合の電池４の放電容量の変化および充放電１００％サイクルを繰り返した場合の電池４の放電容量の変化を示す図である。図６の縦軸は、電池４の放電容量を示している。図６の横軸は、電池４の充放電回数を示している。
【００５９】
図６に示す点Ａは、電池４の放電容量が１０００ｍＡｈである場合における充放電５０％サイクルの充放電回数および充放電１００％サイクルの充放電回数を示している。図６に示すように、電池４の放電容量が１０００ｍＡｈの場合、充放電５０％サイクルの充放電回数および充放電１００％サイクルの充放電回数は、ともに１回である。
【００６０】
図６に示す点Ｂは、電池４の放電容量が９００ｍＡｈまで減少した場合における充放電５０％サイクルの充放電回数を示している。図６に示すように、電池４の放電容量が９００ｍＡｈの場合、充放電５０％サイクルの充放電回数は、２００回である。
【００６１】
図６に示す点Ｃは、電池４の放電容量が９００ｍＡｈまで減少した場合における充放電１００％サイクルの充放電回数を示している。図６に示すように、電池４の放電容量が９００ｍＡｈの場合、充放電１００％サイクルの充放電回数は、４００回である。
【００６２】
充放電１００％サイクルの場合、電池４の放電容量が９００ｍＡｈまで減少するためには、電池４の充放電回数が４００回必要となる。それに対して、充放電５０％サイクルの場合、電池４の放電容量が９００ｍＡｈまで減少するためには、電池４の充放電回数が２００回必要となる。すなわち、充放電５０％サイクルの場合の電池４の放電容量の減少は、充放電１００％サイクルの場合の電池４の放電容量の減少よりも大きい。そこで、電池４の放電容量の減少分に対する電池４の充放電回数について、放電１００％サイクルと充放電５０％サイクルとを調整するために補正係数ｎを求める。
【００６３】
補正係数ｎは以下の計算式（４）により求めることができる。
補正係数ｎ＝充放電１００％サイクルの充放電回数／充放電５０％サイクルの充放電回数
・・・（４）
上記計算式（４）により、補正係数ｎを算出する場合、充放電１００％サイクルの充放
電回数および充放電５０％サイクルの充放電回数は、電池４の放電容量が同じ値まで減少した場合の回数を用いる。例えば、充放電１００％サイクルの充放電回数が４００回であり、充放電５０％サイクルの充放電回数が２００回である場合、補正係数ｎ＝４００／２００＝２となる。図７における電池４の放電容量の値および電池４の充放電回数の値は、例示であって、本発明はこれらには限定されない。
【００６４】
電源制御マイコン８は、補正係数ｎを使用することにより、電池４の劣化を考慮した電池４の充放電回数を算出することができる。
【００６５】
電源制御マイコン８は、Ｓ２０７の処理において算出した電池４の充放電回数を電源制御マイコン８の内部に記録する。算出した電池４の充放電回数の値が１を超える場合、電源制御マイコン８は、電池４の充放電回数を１回として電源制御マイコン８の内部に記録する。例えば、算出した電池４の充放電回数の値が０．８となる場合は、電池４の充放電回数は０．８回として記録される。例えば、算出した電池４の充放電回数の値が１．２となる場合は、電池４の充放電回数は１回として記録される。
【００６６】
補正係数ｎを使用することにより、充放電回数の値が１を超える場合がある。しかし、電池４の満充電および完全放電を行ったとしても、実際の充放電回数は、１回を超えることはない。そのため、算出した電池４の充放電回数の値が１を超える場合、電池４の充放電回数を１回として電源制御マイコン８の内部に記録する。
【００６７】
電源制御マイコン８は、電池４の充放電が繰り返される毎に、電池４の充放電回数を積算する。すなわち、すでに電源制御マイコン８の内部に電池４の充放電回数が記録されていれば、記録されている電池４の充放電回数に対して算出した電池４の充放電回数を加算する。
【００６８】
第１実施形態に係る電池制御装置１によれば、充電開始時における電池４の電池残量比率（％）が０％でなくとも（すなわち、電池４が完全放電状態でなくとも）、電池４の充放電回数を算出することが可能となる。また、第１実施形態に係る電池制御装置１によれば、充電終了時における電池４の電池残量比率（％）が１００％でなくとも（すなわち、電池４が満充電状態でなくとも）、電池４の充放電回数を算出することが可能となる。
【００６９】
＜第２実施形態＞
次に、図７を参照して、第２実施形態に係る電池制御装置１の動作について説明する。上記第１実施形態では、電池４を充電する場合において、電源制御マイコン８が、電池４の充放電回数を算出する動作について説明した。第２実施形態では、電池４を放電させる場合において、電源制御マイコン８が、電池４の充放電回数を算出する動作について説明する。他の構成および作用は、第１実施形態と同様である。そこで、同一の構成要素については、第１実施形態と同一の符号を付し、その説明を省略する。また、必要に応じて図１から図６の図面を参照する。図７は、第２実施形態に係る電池制御装置１の制御フロー図である。
【００７０】
まず、電源制御マイコン８は、ノートパソコン２とＡＣアダプター５とが電気的に接続されていないことを、スイッチ１１を介して検出する。具体的には、ノートパソコン２にＡＣアダプター５が装着されていない場合において、ノートパソコン２の電源スイッチが押下され、電池制御装置１が起動したとき、電源制御マイコン８は、ノートパソコン２とＡＣアダプター５とが電気的に接続されていないことを検出する。また、すでにノートパソコン２の電源スイッチが入っている場合において、ノートパソコン２からＡＣアダプター５が取り外されたとき、電源制御マイコン８は、ノートパソコン２とＡＣアダプター５とが電気的に接続されていないことを検出する。電源制御マイコン８は、ノートパソコン
２とＡＣアダプター５とが電気的に接続されていないことを検出した場合、電池４の電池残量比率（％）を予測する（Ｓ７０１）。ノートパソコン２とＡＣアダプター５とが電気的に接続されていない場合、負荷３への電力の供給元は、電池４となる。したがって、電池４は放電を行っていることになる。そこで、電源制御マイコン８は電池４の放電時の電池残量比率（％）を算出する。電源制御マイコン８が、電池４の放電時の電池残量比率（％）を予測する処理は、上記第１実施形態と同様であるので、その説明は省略する。
【００７１】
次に、電源制御マイコン８は、算出した電池４の電池残量比率（％）を放電開始時電池残量比率（％）として、電源制御マイコン８の内部に保存する（Ｓ７０２）。
【００７２】
次に、電源制御マイコン８は、電池４の放電が終了したか否かを判定する（Ｓ７０３）。電源制御マイコン８は、負荷３への電力の供給元が、ＡＣアダプター５であることを検出した場合、電池４の放電が終了したと判定する。具体的には、電源制御マイコン８は、ノートパソコン２にＡＣアダプター５が装着され、ノートパソコン２とＡＣアダプター５とが電気的に接続されていることを、スイッチ１１を介して検出した場合、電池４の放電が終了したと判定する。スイッチ１１を閉じておけば、電源制御マイコン８は、ノートパソコン２にＡＣアダプター５が装着されたことを検出するとともに、負荷３への電力の供給元が、ＡＣアダプター５であることを検出することができる。
【００７３】
電池４の放電が終了した場合（Ｓ７０３の処理で肯定の場合）、電源制御マイコン８は、電池４の電池残量比率（％）を予測する（Ｓ７０４）。Ｓ６０４における電池４の電池残量比率（％）の予測の処理は、Ｓ６０２における電池４の電池残量比率（％）の予測の処理と同様に行われる。すなわち、電源制御マイコン８は、電池４の放電終了時における電池４の電池残量比率（％）を算出する。
【００７４】
一方、電池４の放電が終了していない場合（Ｓ７０３の処理で否定の場合）、電源制御マイコン８は、電池４の放電が終了するまで、Ｓ７０３の処理を繰り返す。
【００７５】
電池４の放電終了時における電池４の電池残量比率（％）を算出した場合、電源制御マイコン８は、算出した電池４の電池残量比率（％）を放電終了時電池残量比率（％）として、電源制御マイコン８の内部に保存する（Ｓ７０５）。
【００７６】
次に、電源制御マイコン８は、電池４の充放電回数を算出する（Ｓ７０６）。電池４の充放電回数は、以下の計算式（５）によって求めることができる。
電池４の充放電回数＝｛放電開始時電池残量比率（％）−放電終了時電池残量比率（％）｝／１００（％）×補正係数ｎ  ・・・（５）
上記補正係数ｎについては、上記第１実施形態と同様であるので、その説明を省略する。
【００７７】
電源制御マイコン８は、Ｓ６０６の処理において算出した電池４の充放電回数を電源制御マイコン８の内部に記録する。算出した電池４の充放電回数が１を超える場合、電源制御マイコン８は、電池４の充放電回数を１回として電源制御マイコン８の内部に記録する。例えば、算出した電池４の充放電回数の値が０．８となる場合は、電池４の充放電回数は０．８回として記録される。例えば、算出した電池４の充放電回数の値が１．２となる場合は、電池４の充放電回数は１回として記録される。
【００７８】
電源制御マイコン８は、電池４の充放電が繰り返される毎に、電池４の充放電回数を積算する。すなわち、すでに電源制御マイコン８の内部に電池４の充放電回数が記録されていれば、記録されている電池４の充放電回数に対して算出した電池４の充放電回数を加算する。
【００７９】
第２実施形態に係る電池制御装置１によれば、放電開始時における電池４の電池残量比率（％）が１００％でなくとも（すなわち、電池４が満充電状態でなくとも）、電池４の充放電回数を算出することが可能となる。また、第２実施形態に係る電池制御装置１によれば、放電電終了時における電池４の電池残量比率（％）が０％でなくとも（すなわち、電池４が完全放電状態でなくとも）、電池４の充放電回数を算出することが可能となる。
【００８０】
また、電池４の充電が行われている間、電源制御マイコン８は、電池４の電池残量比率（％）を定期的に予測しておいてもよい。すなわち、電池４の充電が行われている間、電源制御マイコン８は、定期的に電池４の開放電圧（ＯＶＣ）を算出しておき、算出した電池４の開放電圧（ＯＶＣ）と、電池４のメモリー１４に記憶されたマップとを照合することにより、定期的に電池４の電池残量比率（％）を算出してもよい。この場合、電源制御マイコン８は、ノートパソコン２とＡＣアダプター５とが電気的に接続されていないことを検出したとき、定期的に算出しておいた電池４の電池残量比率（％）の値を用いて、電池４の放電時の電池残量比率（％）の値としてもよい。
【００８１】
以下に本発明の変形例を示す。以下の変形例に示す構成および動作と、上記第１実施形態および上記第２実施形態に示す構成および動作とを組み合わせてもよい。また、以下に示す変形例１から変形例３に示す構成および動作を相互に組み合わせてもよい。
【００８２】
＜変形例１＞
上述した電池制御装置１は、内部に電圧測定回路６と電流測定回路７とを備えているが、本発明はこのような構成に限られない。図８において、本変形例に係る電池制御装置１を搭載したノートパソコン２の構成図を示す。図８において示すように、電池４（バッテリーパック）の内部に制御ＩＣ１５と電圧測定回路６と電流測定回路７とを配設し、電圧測定回路６によって計測される電圧信号と電流測定回路７によって計測される電流信号とを制御ＩＣ１５を介して電源制御マイコン８に転送するようにしてもよい。さらに、制御ＩＣ１５に電源制御マイコン８が有する機能と同様の機能を持たせてもよい。すなわち、上記第１実施形態および上記第２実施形態における電源制御マイコン８が行う各種動作を、制御ＩＣ１５が行うようにしてもよい。
【００８３】
＜変形例２＞
上述した電池制御装置１は、電池４内に設けられたメモリー１４に、算出した電池４の充放電回数を記録するように変形してもよい。具体的には、電源制御マイコン８は、電池４内に設けられたメモリー１４に、算出した電池４の充放電回数を記録する。さらに、電源制御マイコン８は、電池４の充放電が繰り返される毎に、電池４の充放電回数を積算する。すなわち、すでにメモリー１４に電池４の充放電回数が記録されていれば、記録されている電池４の充放電回数に対して算出した電池４の充放電回数を加算する。
【００８４】
＜変形例３＞
図９において、本変形例に係る電池制御装置１を搭載したノートパソコン２の構成図を示す。図９において示すように、電池制御装置１には表示装置１６が設けられている。電源制御マイコン８は、電池４の充放電回数の情報を表示装置１６に対して送る。表示装置１６は、電源制御マイコン８から電池４の充放電回数の情報を受け取り、電池４の充放電回数を表示する。本変形例に係る電池制御装置１によれば、表示装置１６に表示された充放電回数をユーザーが確認することにより、電池４の劣化度合いを認識することが可能となる。
【００８５】
また、電源制御マイコン８は、電池４の充放電回数の情報をノートパソコン２が備える表示装置（図示せず）に対して送るようにしてもよい。ノートパソコンが備える表示装置
は、電源制御マイコン８から電池４の充放電回数の情報を受け取り、電池４の充放電回数を表示する。本変形例に係る電池制御装置１によれば、ノートパソコンが備える表示装置に表示された充放電回数をユーザーが確認することにより、電池４の劣化度合いを認識することが可能となる。
【００８６】
＜コンピュータ読み取り可能な記録媒体＞
コンピュータに上記いずれかの機能を実現させるプログラムをコンピュータが読み取り可能な記録媒体に記録することができる。そして、コンピュータに、この記録媒体のプログラムを読み込ませて実行させることにより、その機能を提供させることができる。ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。また、コンピュータに固定された記録媒体としてハードディスクやＲＯＭ等がある。
【００８７】
また、本発明の電池制御装置、電池制御方法、電池制御装置、及び電子機器は、以下のような付記的事項を含むものである。
【００８８】
（付記１）
電池の電圧を計測する電圧計測手段と、
前記電池の電流を計測する電流計測手段と、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、
前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
電池制御装置。
【００８９】
（付記２）
前記電源制御手段は、放電開始時の前記電池の電池残量比率から放電終了時の電池残量比率を減算して前記電池の充電量比率を算出し、該充電量比率に補正係数を乗算した値を前記電池の充放電回数として算出し、該充放電回数を算出する毎に該充放電回数を積算する、
付記１に記載の電池制御装置。
【００９０】
（付記３）
前記電源制御手段は、前記充放電回数が所定値を超える場合には該所定値を前記充放電回数として算出し、前記充放電回数が所定値を超えない場合には前記充電量比率に補正係数を乗算した値を前記充放電回数として算出する
付記１または２に記載の電池制御装置。
【００９１】
（付記４）
前記補正係数は、電池の劣化により減少する電池の放電容量に基づいて算出された値である付記１から３のいずれか１項に記載の電池制御装置。
【００９２】
（付記５）
電池の電圧を計測する電圧計測ステップと、
前記電池の電流を計測する電流計測ステップと、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御ステップと、を備え、
前記電源制御ステップは、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
電池制御方法。
【００９３】
（付記６）
前記電源制御ステップは、放電開始時の前記電池の電池残量比率から放電終了時の電池残量比率を減算して前記電池の充電量比率を算出し、該充電量比率に補正係数を乗算した値を前記電池の充放電回数として算出し、該充放電回数を算出する毎に該充放電回数を積算する、
付記５に記載の電池制御方法。
【００９４】
（付記７）
前記電源制御ステップは、前記充放電回数が所定値を超える場合には該所定値を前記充放電回数として算出し、前記充放電回数が所定値を超えない場合には前記充電量比率に補正係数を乗算した値を前記充放電回数として算出する
付記５または６に記載の電池制御方法。
【００９５】
（付記８）
前記補正係数は、電池の劣化により減少する電池の放電容量に基づいて算出された値である付記５から７のいずれか１項に記載の電池制御方法。
【００９６】
（付記９）
電池の電圧を計測する電圧計測手段と、
前記電池の電流を計測する電流計測手段と、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、
前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
電池パック。
【００９７】
（付記１０）
前記電源制御手段は、放電開始時の前記電池の電池残量比率から放電終了時の電池残量比率を減算して前記電池の充電量比率を算出し、該充電量比率に補正係数を乗算した値を前記電池の充放電回数として算出し、該充放電回数を算出する毎に該充放電回数を積算する、
付記９に記載の電池パック。
【００９８】
（付記１１）
前記電源制御手段は、前記充放電回数が所定値を超える場合には該所定値を前記充放電回数として算出し、前記充放電回数が所定値を超えない場合には前記充電量比率に補正係数を乗算した値を前記充放電回数として算出する
付記９または１０に記載の電池パック。
【００９９】
（付記１２）
前記補正係数は、電池の劣化により減少する電池の放電容量に基づいて算出された値である付記９から１１のいずれか１項に記載の電池パック。
【０１００】
（付記１３）
負荷を備えた電子機器に着脱可能に構成され、前記電子機器に装着された場合に前記電池から前記負荷に駆動電力を供給する、
付記９から１２のいずれか１項に記載の電池パック。
【０１０１】
（付記１４）
電池から供給される電力によって負荷を駆動する電子機器であって、
前記電池の電圧を計測する電圧計測手段と、
前記電池の電流を計測する電流計測手段と、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備え、
前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
電子機器。
【０１０２】
（付記１５）
前記電源制御手段は、放電開始時の前記電池の電池残量比率から放電終了時の電池残量比率を減算して前記電池の充電量比率を算出し、該充電量比率に補正係数を乗算した値を前記電池の充放電回数として算出し、該充放電回数を算出する毎に該充放電回数を積算する、
付記１４に記載の電子機器。
【０１０３】
（付記１６）
前記電源制御手段は、前記充放電回数が所定値を超える場合には該所定値を前記充放電回数として算出し、前記充放電回数が所定値を超えない場合には前記充電量比率に補正係数を乗算した値を前記充放電回数として算出する
付記１４または１５に記載の電子機器。
【０１０４】
（付記１７）
前記補正係数は、電池の劣化により減少する電池の放電容量に基づいて算出された値である付記１４から１６のいずれか１項に記載の電子機器。
【０１０５】
（付記１８）
前記電池は記録手段を備え、
前記電源制御手段は、積算した前記充放電回数を前記記録手段に記録する付記１４から１７のいずれか１項に記載の電子機器。
【０１０６】
（付記１９）
前記電池は着脱可能であることを特徴とする付記１８に記載の電子機器。
【０１０７】
（付記２０）
前記電源制御手段は、外部電源から電力が供給される場合に、該電力を前記負荷に供給するよう制御する付記１４から１９のいずれか１項に記載の電子機器。
【０１０８】
（付記２１）
前記電源制御手段は、前記外部電源からの電力で前記電池を充電するよう制御する付記２０に記載の電子機器。
【０１０９】
（付記２２）
電池の電圧を計測する電圧計測手段と、
前記電池の電流を計測する電流計測手段と、
前記電池の電圧および前記電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段と、を備える電池制御装置の電池制御プログラムであって、
充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算するステップを電池制御装置に実行させる電池制御プログラム。
【０１１０】
（付記２３）
放電開始時の前記電池の電池残量比率から放電終了時の電池残量比率を減算して前記電池の充電量比率を算出し、該充電量比率に補正係数を乗算した値を前記電池の充放電回数として算出し、該充放電回数を算出する毎に該充放電回数を積算するステップを電池制御装置に実行させる付記２２に記載の電池制御プログラム。
【０１１１】
（付記２４）
前記充放電回数が所定値を超える場合には該所定値を前記充放電回数として算出し、前記充放電回数が所定値を超えない場合には前記充電量比率に補正係数を乗算した値を前記充放電回数として算出するステップを電池制御装置に実行させる付記２２または２３に記載の電池制御プログラム。
【０１１２】
（付記２５）
前記補正係数は、電池の劣化により減少する電池の放電容量に基づいて算出された値である付記２２から２４のいずれか１項に記載の電池制御プログラム。
【０１１３】
（付記２６）
電池の電圧を計測する電圧計測手段と、前記電池の電流を計測する電流計測手段とを備え、前記電池の充放電回数を管理する電池制御装置の制御回路において、
前記計測された電池の電圧および前記計測された電池の電流に基づいて前記電池の開放電圧を算出し、前記電池の残量が前記電池の全容量に対する割合を表した値である電池残量比率と前記開放電圧との関係を示す関係情報と前記算出した開放電圧とを用いて前記電池の電池残量比率を算出する電源制御手段を備え、
前記電源制御手段は、充電開始時の前記電池の電池残量比率から充電終了時の電池残量比率を減算して前記電池の充電量比率を算出し、該充電量比率に補正係数を乗算した値を前記電池の充放電回数として算出し、該充放電回数を算出する毎に該充放電回数を積算する、
制御回路。
【０１１４】
（付記２７）
前記電源制御手段は、放電開始時の前記電池の電池残量比率から放電終了時の電池残量比率を減算して前記電池の充電量比率を算出し、該充電量比率に補正係数を乗算した値を前記電池の充放電回数として算出し、該充放電回数を算出する毎に該充放電回数を積算する、
付記２６に記載の制御回路。
【０１１５】
（付記２８）
前記電源制御手段は、前記充放電回数が所定値を超える場合には該所定値を前記充放電回数として算出し、前記充放電回数が所定値を超えない場合には前記充電量比率に補正係数を乗算した値を前記充放電回数として算出する
付記２６または２７に記載の制御回路。
【０１１６】
（付記２９）
前記補正係数は、電池の劣化により減少する電池の放電容量に基づいて算出された値である付記２６から２８のいずれか１項に記載の制御回路。
【図面の簡単な説明】
【０１１７】
【図１】電池制御装置を搭載したノートパソコンの構成図である。
【図２】第１実施形態に係る電池制御装置の制御フロー図である。
【図３】電池の出力電圧の時間変化を示すグラフである。
【図４】電池の出力電流の時間変化を示すグラフである。
【図５】電池の残量比率と開放電圧との関係を示すグラフである。
【図６】電池の放電容量と充放電回数との関係を示すグラフである。
【図７】第２実施形態に係る電池制御装置の制御フロー図である。
【図８】電池制御装置を搭載したノートパソコンの構成図である。
【図９】電池制御装置を搭載したノートパソコンの構成図である。
【符号の説明】
【０１１８】
１・・・・・・・・・電池制御装置
２・・・・・・・・・ノートパソコン
３・・・・・・・・・負荷
４・・・・・・・・・電池
５・・・・・・・・・ＡＣアダプター
６・・・・・・・・・電圧測定回路
７・・・・・・・・・電流測定回路
８・・・・・・・・・電源制御マイコン
９、１０・・・・・・ダイオード
１１、１２・・・・・スイッチ
１３・・・・・・・・抵抗
１４・・・・・・・・メモリー
１５・・・・・・・・制御ＩＣ
１６・・・・・・・・表示装置
【図１】
2008128738.tif 000003
【図２】
2008128738.tif 000004
【図３】
2008128738.tif 000005
【図４】
2008128738.tif 000006
【図５】
2008128738.tif 000007
【図６】
2008128738.tif 000008
【図７】
2008128738.tif 000009
【図８】
2008128738.tif 000010
【図９】
2008128738.tif 000011